(57)【要約】【課題】ＡＶ・ナビゲーション装置等の車載機器とスマートフォン等の携帯端末とが通信可能に接続されてなる「車載機器システム」を提供することである。【解決手段】車載機器１００と、携帯端末２０とが通信可能な状態で接続されてなる車載機器であって、前記車載機器１００は、第１ユニットから前記第２ユニットに切換えられる際に、前記アプリケーションの起動要求を携帯端末２０に送るアプリケーション起動要求手段（１）を有し、前記携帯端末２０は、車載機器１００からの前記起動要求に応じて前記アプリケーションを起動させるアプリケーション起動手段（Ｓ３２）を有し、起動された前記アプリケーションにより前記第１処理と同種の処理が前記携帯端末にてなされる構成となる。【選択図】図２
2012149998.tif 000002
【特許請求の範囲】
【請求項１】
第１処理を実行して表示部に画像表示を行う第１ユニットと、第２処理を実行して前記表示部に前記第１処理による画像表示と異種の画像表示を行う第２ユニットとを有する車載機器と、前記第１ユニットによる前記第１処理と同種の処理を行って表示画面に前記第１処理による画像表示と同種の画像表示を行うアプリケーションを備えた携帯端末とが通信可能な状態で接続されてなる車載機器システムであって、
前記車載機器は、前記第１ユニットから前記第２ユニットに切換えられる際に、前記アプリケーションの起動要求を前記携帯端末に送るアプリケーション起動要求手段を有し、
前記携帯端末は、前記車載機器からの前記起動要求に応じて前記アプリケーションを起動させるアプリケーション起動手段を有し、
起動された前記アプリケーションにより前記第１処理と同種の処理が前記携帯端末にてなされる車載機器システム。
【請求項２】
前記車載機器は、前記第１ユニットから第２ユニットに切換えられる際に、前記第１処理にて利用される情報であって前記アプリケーションによる当該第１処理と同種の処理に利用可能な情報を前記携帯端末に送る手段を有する請求項１記載の車載機器システム。
【請求項３】
前記車載機器は、前記第２ユニットによる前記第２処理が終了する際に、前記アプリケーションの終了要求を前記携帯端末に送るアプリケーション終了要求手段と、
前記終了要求が前記携帯端末に送られた後に、前記第１ユニットによる前記第１処理を再開させる復帰制御手段とを有し、
前記携帯端末は、前記車載機器からの前記終了要求に応じて前記アプリケーションによる処理を終了させるアプリケーション終了制御手段を有する請求項１または２記載の車載機器システム。
【請求項４】
前記携帯端末は、前記アプリケーションによる処理が終了する際に、前記アプリケーションの終了を前記車載機器に通知する終了応答手段を有し、
前記車載機器の前記復帰制御手段は、前記アプリケーションによる処理が終了したことの通知を受けた際に、前記第１ユニットによる第１処理を再開させる請求項３記載の車載機器システム。
【請求項５】
前記携帯端末は、前記アプリケーションによる処理が終了する際に、前記アプリケーションによる処理にて利用される情報であって前記第１処理に利用可能な情報を前記車載機器に送る手段を有する請求項４記載の車載機器システム。
【請求項６】
前記携帯端末は、前記アプリケーションによる処理が終了した後に、前記車載機器からの当該アプリケーションの起動要求を受ける前の状態に復帰させる状態復帰手段を有する請求項３乃至５のいずれかに記載の車載機器システム。
【請求項７】
前記第１ユニットは、車両ナビゲーション処理を第１処理として実行して前記表示部に車両ナビゲーションに係る画像表示を行う車両ナビゲーションユニットであり、
前記第２ユニットは、音声・映像源の再生処理を前記第２処理として実行して前記表示部に前記音声・映像源の再生に係る画像表示を行うＡＶユニットであり、
前記アプリケーションは、ナビゲーション処理を行うナビゲーションアプリケーションである請求項１乃至６のいずれかに記載の車載機器ユニット。
【請求項８】
第１処理を実行して表示部に画像表示を行う第１ユニットと、第２処理を実行して前記表示部に前記第１処理による画像表示と異種の画像表示を行う第２ユニットとを有し、前記第１ユニットによる前記第１処理と同種の処理を行って表示画面に前記第１処理による画像表示と同種の画像表示を行うアプリケーションを備えた携帯端末と通信可能に接続される車載機器であって、
前記第１ユニットから前記第２ユニットに切換えられる際に、前記アプリケーションの起動要求を前記携帯端末に送るアプリケーション起動要求手段を有する車載機器。
【請求項９】
前記第１ユニットから前記第２ユニットに切換えられる際に、前記第１処理にて利用される情報であって前記アプリケーションによる当該第１処理と同種の処理に利用可能な情報を前記携帯端末に送る手段を有する請求項８記載の車載機器（請求項２）。
【請求項１０】
前記第２ユニットによる前記第２処理が終了する際に、前記アプリケーションの終了要求を前記携帯端末に送るアプリケーション終了要求手段と、
前記終了要求が前記携帯端末に送られた後に、前記第１ユニットによる前記第１処理を再開させる復帰制御手段とを有する車載機器（請求項３）。
【請求項１１】
前記第１ユニットは、車両ナビゲーション処理を第１処理として実行して前記表示部に車両ナビゲーションに係る画像表示を行う車両ナビゲーションユニットであり、
前記第２ユニットは、音声・映像源の再生処理を前記第２処理として実行して前記表示部に前記音声・映像源の再生に係る画像表示を行うＡＶユニットであり、
前記携帯端末が備える前記アプリケーションは、ナビゲーション処理を行うナビゲーションアプリケーションである請求項８乃至１０のいずれかに記載の車載機器。
【請求項１２】
第１処理を実行して表示部に画像表示を行う第１ユニットと、第２処理を実行して前記表示部に前記第１処理による画像表示と異種の画像表示を行う第２ユニットとを有する車載機器に通信可能に接続され、前記第１ユニットによる前記第１処理と同種の処理を行って表示画面に前記第１処理による画像表示と同種の画像表示を行うアプリケーションを備えた携帯端末であって、
前記車載機器からの起動要求に応じて前記アプリケーションを起動させるアプリケーション起動手段を有し、
起動された前記アプリケーションにより前記第１処理と同種の処理がなされる携帯端末。
【請求項１３】
前記車載機器からの終了要求に応じて前記アプリケーションによる処理を終了させるアプリケーション終了制御手段を有する請求項１２記載の携帯端末（請求項３）。
【請求項１４】
前記アプリケーションによる処理が終了する際に、前記アプリケーションの終了を前記車載機器に通知する終了応答手段を有する請求項１３記載の携帯端末（請求項４）。
【請求項１５】
前記アプリケーションによる処理が終了する際に、前記アプリケーションによる処理にて利用される情報であって前記第１処理に利用可能な情報を前記車載機器に送る手段を有する請求項１３または１４記載の車載機器システム（請求項５）。
【請求項１６】
前記アプリケーションによる処理が終了した後に、前記車載機器からの当該アプリケーションの起動要求を受ける前の状態に復帰させる状態復帰手段を有する請求項１２乃至１５のいずれかに記載の携帯端末（請求項６）。
【請求項１７】
前記車載機器の有する前記第１ユニットは、車両ナビゲーション処理を第１処理として実行して前記表示部に車両ナビゲーションに係る画像表示を行う車両ナビゲーションユニットであって、
前記アプリケーションは、ナビゲーション処理を行うナビゲーションアプリケーションである請求項１２乃至１６のいずれかに記載の携帯端末。
【発明の詳細な説明】
【技術分野】
【０００１】
本発明は、ＡＶ・ナビゲーション装置等の車載機器とスマートフォン等の携帯端末とが通信可能に接続されてなる車載機器システムと、その車載機器システムを構成する車載機器及び携帯端末とに関する。
【背景技術】
【０００２】
従来、カーナビゲーション装置と、該カーナビゲーション装置に通信可能に接続された携帯端末とにより構成されたシステムが提案されている（特許文献１参照）。このシステムでは、ナビゲーション装置の表示画面に表示すべき複数のウィンドウの少なくとも１つを分離して、携帯端末の表示画面に表示させている。例えば、ナビゲーション装置の表示画面において案内ルートを含む地図を表示したウィンドウ上に重ねて表示されるべき交差点の拡大ウィンドウを分離して、その交差点の拡大ウィンドウを携帯端末の表示画面に表示させている。このようなシステムによれば、ナビゲーション装置の表示画面に表示される案内ルートの示されたウィンドウをより視認し易くすることができる。
【先行技術文献】
【特許文献】
【０００３】
【特許文献１】特開２００５−２８４８８６号公報
【発明の概要】
【発明が解決しようとする課題】
【０００４】
ところで、カーナビゲーションユニット及びＡＶユニットなど、複数の異なるユニットを有する車載機器では、２つのユニットを同時に動作させる場合がある。この場合、単一の表示画面をその２つのユニットにどのように割り当てるかが問題となる。
【０００５】
例えば、１つの表示画面を２つのウィンドウに分割して、それら２つのウィンドウを２つのユニット（例えば、ナビゲーションユニット及びＡＶユニット）に割り当てることができる。この場合、例えば、一方のウィンドウに運転者が利用するナビゲーションに係る画像を表示させつつ、他方のウィンドウに助手席の乗員が利用するＤＶＤ等の再生画像を表示させることができる。
【０００６】
また、例えば、表示画面の全体を一方のユニット（例えば、ＡＶユニット）に割り当て、他方のユニット（例えば、ナビゲーションユニット）では表示画面を利用せずに音声出力だけにすることが考えられる。この場合、例えば、表示画面には助手席の乗員が利用するＤＶＤ等の再生画像を表示させ、運転者が利用するナビゲーションユニットでは基本的に表示画面を利用せずに、音声出力（アナウンス出力）だけ行い、交差点等の所定の地点でだけ、必要な案内画像を表示画面に割り込み表示させることが考えられる。
【０００７】
しかしながら、上述した前者の場合、１つの表示画面を分割された２つのウィンドウに表示させているため、各ウィンドウに表示される画像が小さくなって、２つのウィンドウに表示される２つの表示画像（例えば、ＤＶＤの再生画像及び案内ルートを含む地図画像）がともに見難くなってしまう。上述した後者の場合、一方のユニットについては画面全体にて画像表示がなされるものの、他方のユニットについては基本的に画像表示がなされず、本来利用可能な画像を利用することができなくなってしまう。
【０００８】
そこで、前述したような車載機器と携帯端末とを接続したシステムにおいて、携帯端末の表示画面を車載機器にて利用可能とし、一方のユニット（例えば、ＡＶユニット）にて車載機器の表示画面全体を使用する一方、他方のユニット（例えば、ナビゲーションユニット）にて生成される画像については携帯端末の表示画面に表示させることが考えられる。このようにすれば、一方のユニットについては画面全体に画像表示がなされるのでその画像が見易いものとなるとともに、他方のユニットについては画像表示が携帯端末の画面に表示されるので、その画像を有効に利用することができるようになる。
【０００９】
しかしながら、上述したシステムでは、携帯端末を単に車載機器の表示画面として利用することに留まるものである。従って、携帯端末の表示画面に画像表示をさせている車載機器のユニットが情報入力や条件設定等に係る処理を実行する場合には、依然として車載機器の表示画面（操作画面）を利用しなければなない等、携帯端末が車載機器の機能を十分に補うものとはなっていない。
【００１０】
本発明は、このような事情に鑑みてなされたもので、車載機器の機能を携帯端末でより高度に補うことのできる車載機器システムを提供するものである。
【００１１】
また、本発明は、そのような車載機器システムを構成する車載機器及び携帯端末を提供するものである。
【課題を解決するための手段】
【００１２】
本発明に係る車載機器システムは、第１処理を実行して表示部に画像表示を行う第１ユニットと、第２処理を実行して前記表示部に前記第１処理による画像表示と異種の画像表示を行う第２ユニットとを有する車載機器と、前記第１ユニットによる前記第１処理と同種の処理を行って表示画面に前記第１処理による画像表示と同種の画像表示を行うアプリケーションを備えた携帯端末とが通信可能な状態で接続されてなる車載機器システムであって、前記車載機器は、前記第１ユニットから前記第２ユニットに切換えられる際に、前記アプリケーションの起動要求を前記携帯端末に送るアプリケーション起動要求手段を有し、前記携帯端末は、前記車載機器からの前記起動要求に応じて前記アプリケーションを起動させるアプリケーション起動手段を有し、起動された前記アプリケーションにより前記第１処理と同種の処理が前記携帯端末にてなされる構成となる。
【００１３】
このような構成により、車載機器において第１処理を実行して表示部に画像表示を行う第１ユニットから第２処理を実行して表示部に画像表示を行う第２ユニットに切換えられる際に、携帯端末では、車載機器からの起動要求によって第１処理と同種の処理を行って表示画面に前記第１処理による画像表示と同種の画像表示を行うアプリケーションが起動されるので、車載機器で第１処理に代えて第２処理が実行される際に、携帯端末では切換る前の前記第１処理と同種の処理が実行され、当該第１処理による画面表示と同種の画面表示がなされるようになる。
【００１４】
本発明に係る車載機器システムにおいて、前記車載機器は、前記第１ユニットから第２ユニットに切換えられる際に、前記第１処理にて利用される情報であって前記アプリケーションによる当該第１処理と同種の処理に利用可能な情報を前記携帯端末に送る手段を有する構成とすることができる。
【００１５】
このような構成により、携帯端末では、起動されるアプリケーションにより第１処理と同種の処理がなされる際に、車載機器から送られてくる前記第１処理と同種の処理に利用可能な情報を利用することができるようになる。このため、携帯端末において、当該第１処理と同種の処理に利用可能な情報を改めて生成あるいは取得する必要がなくなる。
【００１６】
また、本発明に係る車載機器システムにおいて、前記車載機器は、前記第２ユニットによる前記第２処理が終了する際に、前記アプリケーションの終了要求を前記携帯端末に送るアプリケーション終了要求手段と、前記終了要求が前記携帯端末に送られた後に、前記第１ユニットによる前記第１処理を再開させる復帰制御手段とを有し、前記携帯端末は、前記車載機器からの前記終了要求に応じて前記アプリケーションによる処理を終了させるアプリケーション終了制御手段を有する構成とすることができる。
【００１７】
このような構成により、車載機器において第２ユニットによる第２処理が終了する際に、携帯端末にアプリケーションの終了要求が送られるとともに、第１ユニットによる第１処理が再開され、携帯端末では、車載機器からのアプリケーションの終了要求に応じて当該アプリケーションが終了されるので、車載機器にて第２ユニットによる第２処理が終了すると、自動的に、車載機器では、第１処理による第１処理が再開され、携帯端末では、アプリケーションに従った前記第１処理と同種の処理が終了される。
【００１８】
また、本発明に係る車載機器システムにおいて、前記携帯端末は、前記アプリケーションによる処理が終了する際に、前記アプリケーションの終了を前記車載機器に通知する終了応答手段を有し、前記車載機器の前記復帰制御手段は、前記アプリケーションによる処理が終了したことの通知を受けた際に、前記第１ユニットによる第１処理を再開させる構成とすることができる。
【００１９】
このような構成により、車載機器では、携帯端末からのアプリケーションによる処理が終了したことの通知を受けた際に第１処理が再開されるので、携帯端末での第１処理と同種の処理から車載機器での第１処理に適切に移行することができる。
【００２０】
更に、本発明に係る車載機器システムにおいて、前記携帯端末は、前記アプリケーションによる処理が終了する際に、前記アプリケーションによる処理にて利用される情報であって前記第１処理に利用可能な情報を前記車載機器に送る手段を有する構成とすることができる。
【００２１】
このような構成により、車載機器では、再開される第１処理がなされる際に、携帯端末から送られてくる前記第１処理に利用可能な情報を利用することができるようになる。このため、車載機器において、当該第１処理に利用可能な情報を改めて生成あるいは取得する必要がなくなる。
【００２２】
また、本発明に係る車載機器システムにおいて、前記携帯端末は、前記アプリケーションによる処理が終了した後に、前記車載機器からの当該アプリケーションの起動要求を受ける前の状態に復帰させる状態復帰手段を有する構成とすることができる。
【００２３】
このような構成により、携帯端末での第１処理と同種の処理から車載機器での第１処理に移行したときに、携帯端末は、アプリケーションによる第１処理と同種の処理が開始される前の状態に自動的に復帰することができる。
【００２４】
更に、本発明に係る車載機器システムにおいて、前記第１ユニットは、車両ナビゲーション処理を第１処理として実行して前記表示部に車両ナビゲーションに係る画像表示を行う車両ナビゲーションユニットであり、前記第２ユニットは、音声・映像源の再生処理を前記第２処理として実行して前記表示部に前記音声・映像源の再生に係る画像表示を行うＡＶユニットであり、前記アプリケーションは、ナビゲーション処理を行うナビゲーションアプリケーションである構成とすることができる。
【００２５】
このような構成により、車載機器において車両ナビゲーションを実行して表示部に車両ナビゲーションに係る画像表示を行う車両ナビゲーションユニットから音声・映像源の再生処理を実行して表示部に音声・映像源の再生に係る画像表示を行うＡＶニットに切換えられる際に、携帯端末では、車載機器からの起動要求によってナビゲーション処理を行って表示画面にナビゲーションに係る画像表示を行うナビゲーションアプリケーションが起動されるので、車載機器で車両ナビゲーションに代えて音声・映像源の再生処理が実行される際に、携帯端末では、切換る前の前記車両ナビゲーションと同種の処理であるナビゲーション処理が実行され、車載機器での車両ナビゲーションに係る画像表示と同種のナビゲーションに係る画面表示がなされるようになる。
【００２６】
本発明に係る車載機器は、第１処理を実行して表示部に画像表示を行う第１ユニットと、第２処理を実行して前記表示部に前記第１処理による画像表示と異種の画像表示を行う第２ユニットとを有し、前記第１ユニットによる前記第１処理と同種の処理を行って表示画面に前記第１処理による画像表示と同種の画像表示を行うアプリケーションを備えた携帯端末と通信可能に接続される車載機器であって、前記第１ユニットから前記第２ユニットに切換えられる際に、前記アプリケーションの起動要求を前記携帯端末に送るアプリケーション起動要求手段を有する構成とすることができる。
【００２７】
このような構成により、第１処理を実行して表示部に画像表示を行う第１ユニットから第２処理を実行して表示部に画像表示を行う第２ユニットに切換えられる際に、アプリケーションの起動要求が携帯端末に送られるので、当該車載機器において第１ユニットによる第１処理が第２ユニットによる第２処理に切換わっても、携帯端末に前記起動されるアプリケーションによって前記第１処理と同種の処理をさせることができるようになる。
【００２８】
本発明に係る車載機器において、前記第１ユニットから前記第２ユニットに切換えられる際に、前記第１処理にて利用される情報であって前記アプリケーションによる当該第１処理と同種の処理に利用可能な情報を前記携帯端末に送る手段を有する構成とすることができる。
【００２９】
このような構成により、携帯端末では、起動されるアプリケーションにより第１処理と同種の処理がなされる際に、車載機器から送られてくる前記第１処理と同種の処理に利用可能な情報を利用できるようになる。
【００３０】
また、本発明に係る車載機器において、前記第２ユニットによる前記第２処理が終了する際に、前記アプリケーションの終了要求を前記携帯端末に送るアプリケーション終了要求手段と、前記終了要求が前記携帯端末に送られた後に、前記第１ユニットによる前記第１処理を再開させる復帰制御手段とを有する構成とすることができる。
【００３１】
このような構成により、第２ユニットによる第２処理が終了する際に、携帯端末にアプリケーションの終了要求が送られるとともに、第１ユニットによる第１処理が再開されるので、第２ユニットによる第２処理が終了すると、自動的に、第１ユニットによる第１処理が再開され、携帯端末における前記第１処理と同種の処理を終了させることができるようになる。
【００３２】
更に、本発明に係る車載機器において、前記第１ユニットは、車両ナビゲーション処理を第１処理として実行して前記表示部に車両ナビゲーションに係る画像表示を行う車両ナビゲーションユニットであり、前記第２ユニットは、音声・映像源の再生処理を前記第２処理として実行して前記表示部に前記音声・映像源の再生に係る画像表示を行うＡＶユニットであり、前記携帯端末が備える前記アプリケーションは、ナビゲーション処理を行うナビゲーションアプリケーションである構成とすることができる。
【００３３】
このような構成により、車両ナビゲーション処理を実行して表示部に車両ナビゲーションに係る画像表示を行う車両ナビゲーションユニットから音声・映像源の再生処理を実行して表示部に音声・映像源の再生に係る画像表示を行うＡＶユニットに切換えられる際に、ナビゲーションアプリケーションの起動要求が携帯端末に送られるので、当該車載機器において車両ナビゲーションユニットによる車両ナビゲーション処理がＡＶユニットによる音声・映像源の再生処理に切換っても、携帯端末に前記起動されるナビゲーションアプリケーションによって前記車両ナビゲーション処理と同種の処理であるナビゲーション処理をさせることができるようになる。
【００３４】
本発明に係る携帯端末は、第１処理を実行して表示部に画像表示を行う第１ユニットと、第２処理を実行して前記表示部に前記第１処理による画像表示と異種の画像表示を行う第２ユニットとを有する車載機器に通信可能に接続され、前記第１ユニットによる前記第１処理と同種の処理を行って表示画面に前記第１処理による画像表示と同種の画像表示を行うアプリケーションを備えた携帯端末であって、前記車載機器からの起動要求に応じて前記アプリケーションを起動させるアプリケーション起動手段を有し、起動された前記アプリケーションにより前記第１処理と同種の処理がなされる構成となる。
【００３５】
このような構成により、車載機器からの起動要求に応じて当該車載機器において実行される第１処理と同種の処理を行うアプリケーションが起動されるので、車載機器が、第１ユニットでの第１処理が終了や中断される際に、携帯端末に前記アプリケーションの起動要求を送るようにすれば、車載機器での第１処理が終了や中断されても、その第１処理と同種の処理が携帯端末で実行されるようになる。
【００３６】
本発明に係る携帯端末において、前記車載機器からの終了要求に応じて前記アプリケーションによる処理を終了させるアプリケーション終了制御手段を有する構成とすることができる。
【００３７】
このような構成により、車載機器からの終了要求に応じて第１処理と同種の処理を行うアプリケーションが終了されるので、車載機器が、第１処理を再開させる際に、携帯端末に前記アプリケーションの終了要求を送るようにすれば、車載機器にて第１処理が再開される際に当該第１処理と同種の処理が終了するようになる。
【００３８】
また、本発明に係る携帯端末において、前記アプリケーションによる処理が終了する際に、前記アプリケーションの終了を前記車載機器に通知する終了応答手段を有する構成とすることができる。
【００３９】
このような構成により、アプリケーションによる処理が終了する際に、その旨が車載機器に通知されるようになるので、当該アプリケーションによる第１処理と同等の処理が終了しても、車載機器において第１処理を開始させることができるようになる。
【００４０】
更に、本発明に係る携帯端末において、前記アプリケーションによる処理が終了する際に、前記アプリケーションによる処理にて利用される情報であって前記第１処理に利用可能な情報を前記車載機器に送る手段を有する構成とすることができる。
【００４１】
このような構成により、アプリケーションによる処理が終了する際に、当該アプリケーションによる処理にて利用される情報であって第１処理に利用可能な情報が車載機器に送られるので、車載機器において、第１処理が再開される際に、携帯端末から送られてくる第１処理に利用可能な情報を利用することができるようになる。
【００４２】
また、本発明に係る携帯端末において、前記アプリケーションによる処理が終了した後に、前記車載機器からの当該アプリケーションの起動要求を受ける前の状態に復帰させる状態復帰手段を有する構成とすることができる。
【００４３】
このような構成により、アプリケーションによる処理が終了すると、当該アプリケーションによる第１処理と同種の処理が開始される前の状態に自動的に復帰することができる。
【００４４】
更に、本発明に係る携帯端末において、前記車載機器の有する前記第１ユニットは、車両ナビゲーション処理を第１処理として実行して前記表示部に車両ナビゲーションに係る画像表示を行う車両ナビゲーションユニットであって、前記アプリケーションは、ナビゲーション処理を行うナビゲーションアプリケーションである構成とすることができる。
【００４５】
このような構成により、車載機器からの起動要求に応じて当該車載機器において実行される車両ナビゲーション処理と同種の処理であるナビゲーション処理を行うナビゲーションアプリケーションが起動されるので、車載機器が、車両ナビゲーションユニットでの車両ナビゲーション処理が終了や中断される際に、携帯端末に前記ナビゲーションアプリケーションの起動要求を送るようにすれば、車載機器での車両ナビゲーション処理が終了や中断されても、その車両ナビゲーション処理と同種の処理であるナビゲーション処理が携帯端末で実行されるようになる。
【発明の効果】
【００４６】
本発明に係る車載機器システムによれば、車載機器で第１処理に代えて第２処理が実行される際に、携帯端末では切換る前の前記第１処理と同種の処理が実行され、当該第１処理による画面表示と同種の画面表示がなされるようになるので、車載機器での第１処理を携帯端末での当該第１処理と同種の処理で補うことができるようになる。よって、車載機器の機能を携帯端末でより高度に補うことができるようになる。
【００４７】
また、本発明に係る車載機器及び携帯端末により、前記車載機器システムを構成することができるようになる。
【図面の簡単な説明】
【００４８】
【図１】本発明の実施の形態にかかる車載機器システム及びその車載機器システムを構成する主催機器及び携帯端末（スマートフォン）を示すブロック図である。
【図２】図１に示す車載機器システムでの処理手順を示すシーケンス図である。
【図３】図１に示す車載機器の表示部における車両ナビゲーション画像の一例を示す図である。
【図４】図１に示す車載機器の表示部におけるＡＶユニットによる表示画像の一例を示す図である。
【図５】スマートフォンにおいて実行可能なアプリケーションの一覧を表すホーム画面の一例を示す図である。
【図６】スマートフォンにおけるに車両ナビゲーションに係る画像表示の一例を示す図である。
【発明を実施するための形態】
【００４９】
以下、本発明の実施の形態について図面を用いて説明する。
【００５０】
本発明の実施の形態に係る車載機器システムは、図１に示すように構成される。
【００５１】
図１において、車載機器１００は外部機器接続用のコネクタ１９を有し、コネクタ１９にはケーブルによってスマートフォン２０（携帯端末）が接続可能になっている。車載機器１００は、コンピュータユニット（ＣＰＵを含む）にて構成される処理ユニット１１を有しており、処理ユニット１１には、ＣＤやＤＶＤ等のディスク媒体から音楽や映像を再生するＡＶユニット１７及び車両ナビゲーション処理を行うナビゲーションユニット１８が接続されている。更に、処理ユニット１１には、ＡＶユニット１７にて利用される情報、ナビゲーションユニット１８にて利用される情報（地図情報、施設情報等）、及びその他各種情報を記憶するための記憶部１４（例えば、ハードディスク）、車室内に設けられ、ＬＣＤ等により構成される表示部１３、操作ボタンや表示部１３内に構成されるタッチパネル等からなる操作部１２、及び車室内に設けられたスピーカ１６に音声信号を供給する出力回路１５が接続されている。
【００５２】
スマートフォン２０がケーブルにて接続されるコネクタ１９は、処理ユニット１１に接続され、処理ユニット１１は、ケーブル及びコネクタ１９を介してスマートフォン２０と通信可能となっている。スマートフォン２０は、車載機器１００のナビゲーションユニット１８にて実行される車両ナビゲーション処理と同種の処理であるナビゲーション処理を実行するナビゲーションアプリケーションをはじめ、情報検索アプリケーションやゲーム等の複数のアプリケーションを備えている。
【００５３】
この車載機器１００とスマートフォン２０とが通信可能に接続された車載機器システムでは、例えば、図２に示すシーケンス図に示す手順に従って処理がなされる。車載機器１００では、処理ユニット１１の制御のもと、ナビゲーションユニット１８が車両ナビゲーション処理（第１処理）を実行し、ＡＶユニット１７が音声・映像源（ＤＶＤ、ＣＤ等）の再生処理（第２処理）を実行する。
【００５４】
図２において、車載機器１００では、ナビゲーションユニット１８が車両ナビゲーション処理を行って、表示部１３に、例えば、図３に示すような車両ナビゲーションに係る画像表示がなされる（Ｓ１）。このような状況において、操作部１２にて利用者によるＤＶＤの起動操作がなされると、処理ユニット１１は、ＡＶユニット１７のＤＶＤを起動させる（Ｓ２１）。そして、処理ユニット１１は、スマートフォン２０との接続を確認し（Ｓ２２）、スマートフォン２０に対してナビゲーションアプリケーションの起動要求を送る（１：アプリケーション起動要求手段）。このとき、処理ユニット１１は、ナビゲーションユニット１８での車両ナビゲーション処理に利用される情報であって、スマートフォン２０でのナビゲーションアプリケーションによるナビゲーション処理に利用可能な情報、例えば、車両の現在位置情報や、ルート案内に用いられる目的地の位置情報等をスマートフォン２０に送る。
【００５５】
一方、車載機器１００に接続されるスマートフォン２０では、当該スマートフォン２０にて実行可能なアプリケーションの一覧を表す、例えば、図５に示すようなホーム画面が表示されている（Ｓ３１）。このスマートフォン２０は、車載機器１００から前述したナビゲーションアプリケーションの起動要求を受けるとナビゲーションアプリケーションを起動させ（Ｓ３２：アプリケーション起動手段）、ナビゲーション処理を開始したことを表すナビゲーション開始応答を車載機器１００に送る（２）。スマートフォン２０では、前記ナビゲーションアプリケーションにより車両ナビゲーション処理がなされ、表示画面には、例えば、図６に示すような車両ナビゲーションに係る画像が表示される。前記ナビゲーションアプリケーションによる車両ナビゲーション処理において、前述したように車載機器１００から送られてきた車両の現在位置情報や目的地の位置情報等が利用される。
【００５６】
スマートフォン２０からナビゲーション開始応答を受けた車載機器１００の処理ユニット１１は、ナビゲーションユニット１８に対して車両ナビゲーション処理の終了制御（３）を行い、処理ユニット１１の制御のもとナビゲーションユニット１８は車両ナビゲーション処理を終了させる（Ｓ１２）。そして、ナビゲーションユニット１８での車両ナビゲーション処理の終了を確認した処理ユニット１１は、ＡＶユニット１７に対するＤＶＤ再生開始制御（４）を行い、処理ユニット１１の制御のもとＡＶユニット１７はＤＶＤ再生処理を行う（Ｓ２３）。これにより、表示部１３での表示画像が、図３に示すような車両ナビゲーションに係る画像から図４に示すようなＤＶＤの再生画像に切換えられる。
【００５７】
上述したようにして、車載機器１００において、車両ナビゲーション処理を実行して表示部１３に車両ナビゲーションに係る画像表示（図３参照）を行うナビゲーションユニット１８からＤＶＤの再生処理を実行して表示部１３にＤＶＤの再生画像（図４参照）の表示を行うＡＶユニット１７に切換えられると、スマートフォン２０では、車載機器１００からの起動要求によってナビゲーションアプリケーションが起動し、そのナビゲーションアプリケーションにより車載機器１００側と同種の車両ナビゲーション処理が実行されて、車両ナビゲーションに係る画像表示（図６参照）がなされるようになる。このため、運転者は、車載機器１００の表示部１３に表示された車両ナビゲーションに係る画像（図３参照）及び音声ガイダンスに代えてスマートフォン２０の画面に表示される車両ナビゲーションに係る画像（図６参照）及び音声ガイダンスにより運転支援を継続して受けることができる。また、助手席の乗員は、車載機器１００の表示部１３の画面全体に表示さえるＤＶＤの再生画像を観ることができる。なお、前述したようにスマートフォン２０ではナビゲーションアプリケーションが起動しているので、そのナビゲーションアプリケーションがサポートする処理、例えば、目的地検索、施設検索等の車両ナビゲーションに付随する処理についても当該スマートフォン２０のユーザインタフェースを利用してなされ得る。
【００５８】
前述したように車載機器１００の表示部１３にＤＶＤの映像表示（図４参照）がなされ、スマートフォン２０の画面に車両ナビゲーションに係る画像表示（図６参照）がなされている状況において、操作部１２にて利用者によるＤＶＤの終了操作がなされると、処理ユニット１１は、ＡＶユニット１７によるＤＶＤの再生処理を終了させる（Ｓ２４）。そして、処理ユニット１１は、スマートフォン２０にナビゲーションの終了要求を送る（５：アプリケーション終了要求手段）。スマートフォン２０は、車載機器１００からの終了要求に応じてナビゲーションアプリケーションを立ち下げて、当該ナビゲーションアプリケーションによるナビゲーション処理を終了させる（Ｓ３３：ナビゲーション終了制御手段）。そして、スマートフォン２０は、ナビゲーション処理が終了したことを表す終了応答を車載機器１００に送る（６：終了応答手段）。このとき、スマートフォン２０は、ナビゲーションアプリケーションによる車両ナビゲーション処理に利用される情報であって、車載機器１００側のナビゲーションユニット１８による車両ナビゲーション処理に利用可能な情報、例えば、車両の現在位置情報や目的地の位置情報等を車載機器１００に送る。その後、スマートフォン２０は、前述したナビゲーションアプリケーションの起動要求を受ける前の状態、この場合、ホーム画面（図５参照）が表示された状態に復帰する（Ｓ３４：状態復帰手段）。なお、スマートフォン２０において、前述したナビゲーションアプリケーションの起動要求を受ける前に、他のアプリケーションが実行されていれば、そのアプリケーションが動作する状態に復帰される。
【００５９】
車載機器１００では、スマートフォン２０から前記終了応答を受けた処理ユニット１１が、ナビゲーションユニット１８に車両ナビゲーション処理を再開させる（Ｓ１３：復帰制御手段）。これにより、ナビゲーションユニット１８は、車両ナビゲーション処理を実行し、車両ナビゲーションに係る画像を表示部１３に表示させる。このナビゲーションユニット１８による車両ナビゲーション処理において、前述したようにスマートフォン２０から送られてきた車両の現在位置情報や目的地の位置情報等が利用される。
【００６０】
上述したようにして、車載機器１００において、ＡＶユニット１７によるＤＶＤの再生処理が終了すると、スマートフォン２０では、車載機器１００からの終了要求によってナビゲーションアプリケーションによる車両ナビゲーション処理が終了されて画面表示がホーム画面に切換る。そして、車載機器１００では、ナビゲーションユニット１８による車両ナビゲーション処理が再開されて表示部１２の表示画像がＤＶＤの再生画像から車両ナビゲーションに係る画像に切換えられる。
【００６１】
前述したような車載機器システムでは、車載機器１００にてナビゲーションユニット１８による車両ナビゲーション処理に代えてＡＶユニット１７によるＤＶＤの再生処理が実行される際に、スマートフォン２０では、ナビゲーションアプリケーションが起動されて車載機器１００側と同種の車両ナビゲーション処理が実行され、その車両ナビゲーション処理に係る画像がスマートフォン２０の画面に表示されるようになるので、車載機器１００においてＤＶＤの再生画像を表示させることによって犠牲になる車両ナビゲーションの機能をスマートフォン２０における同種の車両ナビゲーションの機能で補うことができるようになる。
【００６２】
また、車載機器１００においてナビゲーションユニット１８による車両ナビゲーション処理がＡＶユニット１７によるＤＶＤの再生処理に切換る際に、その車両ナビゲーション処理により利用される車両の現在位置情報や目的地の位置情報等がスマートフォン２０に送られるので、スマートフォン２０で起動されたナビゲーションアプリケーションによる同種の車両ナビゲーション処理において、前記車両の現在位置情報や目的地の位置情報等を利用することができる。このため、スマートフォン２０において、車両ナビゲーションに利用される車両の現在位置情報や目的地の位置情報等を改めて生成あるいは取得する必要がなくなり、車載機器１００での車両ナビゲーション処理からスマートフォン２０での車両ナビゲーション処理への移行がよりスムーズになされ得るようになる。また、逆に、スマートフォン２０においてナビゲーションアプリケーションによる車両ナビゲーション処理が終了する際に、その車両ナビゲーション処理により利用される車両の現在位置情報や目的地の位置情報等が車載機器１００に送られるので、車載機器１００で再開されたナビゲーションユニット１８による車両ナビゲーション処理において、前記車両の現在位置や目的地の位置情報等の情報を利用することができる。このため、車載機器１００において車両ナビゲーションに利用される車両の現在位置情報や目的地の位置情報等を改めて生成あるいは取得する必要がなくなり、スマートフォン２０での車両ナビゲーション処理から車載機器１００での車両ナビゲーション処理への再移行がよりスムーズになされ得るようになる。
【００６３】
なお、前述した車載機器システムでは、ナビゲーション処理と音楽・映像源（例えば、ＤＶＤ）の再生処理とを切換えるものであったが、表示部１２を共通に利用する他の処理の切換えであってもよい。この場合、スマートフォン２０は、その切換えられる一方の機能を実現するアプリケーションを備えることになる。
【００６４】
また、スマートフォン２０が有線ではなく、無線にて車載機器１００に接続される構成とすることもできる。
【００６５】
更に、載機器１００に通信可能に接続される携帯端末は、スマートフォン２０に限られず、情報処理機能を備えた携帯電話、ＰＤＡ（Personal Digital Assistant）、ハンディパソコン等であってもよい。
【産業上の利用可能性】
【００６６】
以上、説明したように、本発明に係る車載機器システムは、車載機器の機能を携帯端末でより高度に補うことができるという効果を有し、ＡＶ・ナビゲーション装置等の車載機器とスマートフォン等の携帯端末とが通信可能に接続されてなる車載機器システムとして有用である。
【符号の説明】
【００６７】
１１  処理ユニット
１２  操作部
１３  表示部
１４  記憶部
１５  出力回路
１６  スピーカ
１７  ＡＶユニット（第２ユニット）
１８  ナビゲーションユニット（第１ユニット）
１９  コネクタ
２０  スマートフォン（携帯端末）
１００  車載機器
【図１】
2012149998.tif 000003
【図２】
2012149998.tif 000004
【図３】
2012149998.tif 000005
【図４】
2012149998.tif 000006
【図５】
2012149998.tif 000007
【図６】
2012149998.tif 000008